(57)【要約】【課題】内線無線端末としてカールコードレス電話機を用いる場合でも、音声品質の劣化を抑制する。【解決手段】無線基地局装置２により、電話制御装置１から内線伝送路６を介して受信した無線親機３宛の各種データのうち、少なくとも無線子機４での音声通話に用いる音声データを、無線伝送路（第３の無線伝送路）５Ｃを介して無線子機４との間で直接転送する。また、無線子機４での音声通話に用いる音声データに加え、その音声通話に用いる無線伝送路５Ｃ上における音声通話路の制御に用いる制御データについても、無線伝送路５Ｃを介して無線子機４との間で直接転送する。【選択図】  図１
2006279688.tif 000002
【特許請求の範囲】
【請求項１】
電話回線に接続された電話制御装置と、内線伝送路を介して前記電話制御装置に接続された無線基地局装置と、第１の無線伝送路を介して前記無線基地局装置に接続されて前記電話制御装置の内線無線端末として動作するカールコードレス電話機とを備え、前記カールコードレス電話機は、前記第１の無線伝送路を介して前記無線基地局装置と接続される無線親機と、第２の無線伝送路を介して前記無線親機と接続される無線子機とからなる電話システムであって、
前記無線基地局装置は、前記第１の無線伝送路を介して前記無線親機とデータ通信を行うとともに、前記第１および第２のとは異なる第３の無線伝送路を介して前記無線子機とデータ通信を行う無線インターフェース部と、前記電話制御装置と前記無線親機との間でやり取りされる各種データを前記第１の無線伝送路を介して転送する転送制御手段とを備え、
前記転送制御手段は、転送する前記データのうち前記無線子機での音声通話に用いる音声データを、前記第３の無線伝送路を介して前記無線子機との間で直接転送する
ことを特徴とする電話システム。
【請求項２】
請求項１に記載の電話システムにおいて、
前記転送制御手段は、前記データのうち前記音声データに加え、前記音声通話に用いる前記第３の無線伝送路上における音声通話路の制御に用いる制御データを、第３の無線伝送路を介して前記無線子機との間で直接転送することを特徴とする電話システム。
【請求項３】
電話回線に接続された電話制御装置と、内線伝送路を介して前記電話制御装置に接続された無線基地局装置と、第１の無線伝送路を介して前記無線基地局装置に接続されて前記電話制御装置の内線無線端末として動作するカールコードレス電話機とを備え、前記カールコードレス電話機は、前記第１の無線伝送路を介して前記無線基地局装置と接続される無線親機と、第２の無線伝送路を介して前記無線親機と接続される無線子機とからなる電話システムで用いられる無線基地局装置であって、
前記第１の無線伝送路を介して前記無線親機とデータ通信を行うとともに、前記第１および第２のとは異なる第３の無線伝送路を介して前記無線子機とデータ通信を行う無線インターフェース部と、
前記電話制御装置と前記無線親機との間でやり取りされる各種データを前記第１の無線伝送路を介して転送する転送制御手段とを備え、
前記転送制御手段は、前記データのうち前記無線子機での音声通話に用いる音声データを、前記第３の無線伝送路を介して前記無線子機との間で直接転送する
ことを特徴とする無線基地局装置。
【請求項４】
請求項３に記載の無線基地局装置において、
前記転送制御手段は、転送する前記データのうち前記音声データに加え、前記音声通話に用いる前記第３の無線伝送路上における音声通話路の制御に用いる制御データを、第３の無線伝送路を介して前記無線子機との間で直接転送することを特徴とする無線基地局装置。
【発明の詳細な説明】
【技術分野】
【０００１】
本発明は、電話制御技術に関し、特に電話システムの内線電話機として、無線基地局装置から無線伝送路を介してカールコードレス電話機を接続する無線制御技術に関する。
【背景技術】
【０００２】
公衆電話網（ＰＳＴＮ：Public Switched Telephone Networks）やＩＳＤＮ（Integrated Services Digital Network）、さらにはＩＰ電話網などの電話網に接続される電話システムとして、無線基地局装置から無線伝送路を介して内線無線端末と電話制御装置とを接続し、制御データだけでなく音声信号についてもデジタルデータで送受信する構成の電話システムが提案されている（例えば、特許文献１など参照）。
【０００３】
この種の電話システムでは、電話網からの電話回線に接続された電話制御装置に、ＬＡＮなどの内線伝送路を介して無線基地局装置を接続し、この無線基地局装置から無線伝送路を介してＰＨＳ（Personal Handyphone System）方式、無線ＬＡＮ方式、Bluetooth方式などの無線通信方式で無線通信を行う無線端末を接続している。
これにより、無線端末を電話制御装置の内線無線端末として動作させて、電話制御装置に有線の内線伝送路を介して接続された内線端末と同様の機能を提供する構成となっている。
【０００４】
この種の電話システムでは、内線無線端末としてカールコードレス電話機が用いられる場合もある。このカールコードレス電話機は、呼制御機能を持つ無線親機と通話機能を持つハンドセット型の無線子機とが無線伝送路を介して接続されて、制御データだけでなく音声信号についてもデジタルデータで送受信する無線端末である。
また、規模の異なる電話システムが階層的に接続されて利用される場合がある。例えば、ＰＢＸ（Private Branch eXchange）などのような収容回線数や収容内線数が多い大規模な電話システムの内線無線端末として、比較的小規模の電話システムが接続される場合がある。このような階層構造の場合、小規模電話システムにおける電話制御装置と無線基地局装置が上記無線親機に相当し、小規模電話システムにおける内線無線端末が上記無線子機に相当する。
【０００５】
したがって、このような電話システムでは、無線子機で電話回線を用いて音声通話を行う際、２つの無線伝送路を介して電話制御装置と通話機能を持つ無線子機とが接続されることになる。
すなわち、電話網からの電話回線に接続された電話制御装置に内線伝送路を介して無線基地局装置が接続されて、この無線基地局装置と第１の無線伝送路を介して内線無線端末が接続され、この内線無線端末を構成する無線親機が第１の無線伝送路を介して前記無線基地局装置と接続され、この無線親機と第２の無線伝送路を介して無線子機が接続されることになる。
【０００６】
【特許文献１】特開平１０−１５５１７７号公報
【発明の開示】
【発明が解決しようとする課題】
【０００７】
しかしながら、このような従来技術では、無線子機で電話網からの電話回線を用いた音声通話を行う場合、無線子機から電話制御装置まで２つの無線伝送路を介して音声データをやり取りするため、通話品質の劣化が生じやすいという問題点があった。特に、無線基地局装置と無線親機との間に比較して、無線親機と無線子機との間は近距離であるため無線電波強度が小さく設定してある場合、室内の壁や柱などの障害物により通話品質の劣化が生じやすい。また、２つの無線伝送路を介して接続されるため、音声通話に関する制御の遅れが生じ、良好な操作性が得られない場合もあった。
【０００８】
本発明はこのような課題を解決するためのものであり、無線伝送路を介して接続される無線親機と無線子機とからなるカールコードレス電話機を電話システムの内線無線端末として用いる場合でも、音声品質の劣化を抑制できる電話システムを提供することを目的としている。
【課題を解決するための手段】
【０００９】
このような目的を達成するために、本発明にかかる電話システムは、電話回線に接続された電話制御装置と、内線伝送路を介して電話制御装置に接続された無線基地局装置と、第１の無線伝送路を介して無線基地局装置に接続されて電話制御装置の内線無線端末として動作するカールコードレス電話機とを備え、カールコードレス電話機は、第１の無線伝送路を介して無線基地局装置と接続される無線親機と、第２の無線伝送路を介して無線親機と接続される無線子機とからなる電話システムであって、無線基地局装置に、第１の無線伝送路を介して無線親機とデータ通信を行うとともに、第１および第２のとは異なる第３の無線伝送路を介して無線子機とデータ通信を行う無線インターフェース部と、電話制御装置と無線親機との間でやり取りされる各種データを第１の無線伝送路を介して転送する転送制御手段とを設け、転送制御手段で、転送するデータのうち無線子機での音声通話に用いる音声データを、第３の無線伝送路を介して無線子機との間で直接転送するようにしたものである。
【００１０】
この際、転送制御手段で、データのうち音声データに加え、音声通話に用いる第３の無線伝送路上における音声通話路の制御に用いる制御データを、第３の無線伝送路を介して無線子機との間で直接転送するようにしてもよい。
【００１１】
また、本発明にかかる無線基地局装置は、電話回線に接続された電話制御装置と、内線伝送路を介して電話制御装置に接続された無線基地局装置と、第１の無線伝送路を介して無線基地局装置に接続されて電話制御装置の内線無線端末として動作するカールコードレス電話機とを備え、カールコードレス電話機は、第１の無線伝送路を介して無線基地局装置と接続される無線親機と、第２の無線伝送路を介して無線親機と接続される無線子機とからなる電話システムで用いられる無線基地局装置であって、第１の無線伝送路を介して無線親機とデータ通信を行うとともに、第１および第２のとは異なる第３の無線伝送路を介して無線子機とデータ通信を行う無線インターフェース部と、電話制御装置と無線親機との間でやり取りされる各種データを第１の無線伝送路を介して転送する転送制御手段とを備え、転送制御手段で、データのうち無線子機での音声通話に用いる音声データを、第３の無線伝送路を介して無線子機との間で直接転送するようにしたものである。
【００１２】
この際、転送制御手段で、転送するデータのうち音声データに加え、音声通話に用いる第３の無線伝送路上における音声通話路の制御に用いる制御データを、第３の無線伝送路を介して無線子機との間で直接転送するようにしてもよい。
【発明の効果】
【００１３】
本発明によれば、無線基地局装置により、電話制御装置と無線親機との間でやり取りされる各種データのうち、少なくとも無線子機での音声通話に用いる音声データについては、第３の無線伝送路を介して無線子機との間で直接転送されるため、電話網からの電話回線を用いた音声通話を無線子機で行う場合、無線子機から電話制御装置まで第３の無線伝送路を介して音声データを直接やり取りすることができる。
【００１４】
したがって、無線子機により、２つの無線伝送路を介して音声通話を行う場合と比較して、無線伝送路が１つになり通話品質の劣化を抑制できる。また、無線親機に比較して、無線基地局装置のほうが無線電波強度が高く、その通信エリアも広い場合、室内の壁や柱などの障害物の影響も小さくなり、通話品質の向上が期待できる。
【発明を実施するための最良の形態】
【００１５】
次に、本発明の実施の形態について図面を参照して説明する。
［第１の実施の形態］
まず、図１を参照して、本発明の第１の実施の形態にかかる電話システムについて説明する。図１は、本発明の第１の実施の形態にかかる電話システムの構成を示すブロック図である。
この電話システムは、電話制御装置１、１つ以上の無線基地局装置２、複数の無線親機３、および複数の無線子機４から構成されている。
【００１６】
電話制御装置１は、公衆電話網（ＰＳＴＮ：Public Switched Telephone Networks）やＩＳＤＮ（Integrated Services Digital Network）、さらにはＩＰ電話網などの電話網９からの電話回線８に接続されて、電話回線８を終端制御することにより各種呼制御を行う制御装置である。
無線基地局装置２は、ＬＡＮなどの内線伝送路６を介して電話制御装置１に接続されて、無線伝送路５Ａ（第１の無線伝送路）および無線伝送路５Ｃ（第３の無線伝送路）を介して無線親機３や無線子機４とデジタルデータ通信を行うことにより、電話制御装置１と無線親機３や無線子機４との間でやり取りされる制御データや音声データを相互に転送する装置である。
【００１７】
無線親機３は、無線伝送路５Ａを介して無線基地局装置２と接続してデジタルデータ通信を行うとともに、無線伝送路５Ｂ（第２の無線伝送路）を介して無線子機４と接続してデジタルデータ通信を行うことにより、電話制御装置１からの制御データに基づき無線子機４の制御を行うとともに、無線子機４での操作に応じた制御データを電話制御装置１へ送信する装置である。
無線子機４は、無線伝送路５Ｂを介して無線親機３と接続してデジタルデータ通信を行うとともに、無線伝送路５Ｃを介して無線基地局装置２と接続してデジタルデータ通信を行うことにより、電話制御装置１に接続された電話回線８を用いた音声通話を実現する装置である。
【００１８】
本実施の形態では、無線基地局装置２により、電話制御装置１から内線伝送路６を介して受信した無線親機３宛の各種データのうち、少なくとも無線子機４での音声通話に用いる音声データを、無線伝送路（第３の無線伝送路）５Ｃを介して無線子機４との間で直接転送するようにしたものである。
【００１９】
［電話制御装置］
次に、図２を参照して、本発明の第１の実施の形態にかかる電話システムで用いられる電話制御装置について説明する。図２は、本発明の第１の実施の形態にかかる電話システムで用いられる電話制御装置の構成を示す説明図である。
この電話制御装置１は、コンピュータで動作する通信制御装置であり、回線インターフェース部（以下、回線Ｉ／Ｆ部という）１１、ＬＡＮインターフェース部（以下、ＬＡＮＩ／Ｆ部という）１２、記憶部１３、および制御部１４が設けられている。
【００２０】
回線Ｉ／Ｆ部１１は、電話網９からの電話回線８を終端制御する回路部であり、電話網９からの着信検出、発信などの回線制御を行う機能を有している。
ＬＡＮＩ／Ｆ部１２は、内線伝送路６を介してデジタルデータ通信を行う回路部であり、無線基地局装置２と制御データや音声データをやり取りする機能と、パソコンなどからなる設定端末７と設定データをやり取りする機能とを有している。
【００２１】
記憶部１３は、メモリやハードディスクなどの記憶装置からなり、制御部１４での各種処理に用いる処理情報やプログラム１３Ｐを格納する機能を有している。プログラム１３Ｐは、回線Ｉ／Ｆ部１１やＬＡＮＩ／Ｆ部１２などの入出力インターフェース部を介して外部装置や記録媒体から読み取られ予め記憶部１３へ格納される。
記憶部１３に格納される主な処理情報としては、呼制御情報１３Ａや設定情報１３Ｂがある。呼制御情報１３Ａは、電話回線８の状態や各無線親機３や無線子機４の動作状態を管理するための情報である。設定情報１３Ｂは、当該電話システムの接続構成を示す情報である。
【００２２】
制御部１４は、ＣＰＵなどのマイクロプロセッサとその周辺回路からなり、記憶部１３からプログラム１３Ｐを読み込んで実行することにより、上記ハードウェアとプログラム１３Ｐとを協働させて各種機能手段を実現する機能部である。制御部１４で実現される主な機能手段としては、呼制御手段１４Ａと設定管理手段１４Ｂがある。
呼制御手段１４Ａは、記憶部１３の呼制御情報１３Ａや設定情報１３Ｂに基づき回線Ｉ／Ｆ部１１を制御して電話回線８の回線制御や、無線親機３および無線子機４の動作制御を行う機能とを有している。設定管理手段１４Ｂは、設定端末７から設定入力された内容に基づき、例えば無線基地局装置２と無線親機３との対応関係や、無線親機３と無線子機４との対応関係などの情報を記憶部１３の設定情報１３Ｂに設定する機能を有している。
【００２３】
［無線基地局装置］
次に、図３を参照して、本発明の第１の実施の形態にかかる電話システムで用いられる無線基地局装置について説明する。図３は、本発明の第１の実施の形態にかかる電話システムで用いられる無線基地局装置の構成を示すブロック図である。
この無線基地局装置２は、コンピュータで動作する通信制御装置であり、無線インターフェース部（以下、無線Ｉ／Ｆ部という）２１、ＬＡＮインターフェース部（以下、ＬＡＮＩ／Ｆ部という）２２、記憶部２３、および制御部２４が設けられている。
【００２４】
無線Ｉ／Ｆ部２１は、無線伝送路５Ａ，５Ｃを終端制御する回路部であり、無線伝送路５Ａを介して無線親機３とデジタルデータ通信を行う機能と、無線伝送路５Ｃを介して無線子機４とデジタルデータ通信を行う機能とを有している。
ＬＡＮＩ／Ｆ部２２は、内線伝送路６を介してデジタルデータ通信を行う回路部であり、電話制御装置１と制御データをやり取りする機能を有している。
【００２５】
記憶部２３は、メモリやハードディスクなどの記憶装置からなり、制御部２４での各種処理に用いる処理情報やプログラム２３Ｐを格納する機能を有している。プログラム２３Ｐは、無線Ｉ／Ｆ部２１やＬＡＮＩ／Ｆ部２２などの入出力インターフェース部を介して外部装置や記録媒体から読み取られ予め記憶部２３へ格納される。
記憶部２３に格納される主な処理情報としては、親子管理情報２３Ａがある。親子管理情報２３Ａは、各無線親機３と無線子機４の対応関係を示す情報であり、ＬＡＮＩ／Ｆ部２２を介して予め電話制御装置１から取得して記憶部２３に格納される。
図４は、親子管理情報の構成例である。この例では、内線無線端末を構成する無線親機３と無線子機４について、その内線番号、無線親機の識別情報、無線子機の識別情報、当該内線無線端末を管理する無線基地局装置の識別情報が組として登録されている。
【００２６】
制御部２４は、ＣＰＵなどのマイクロプロセッサとその周辺回路からなり、記憶部２３からプログラム２３Ｐを読み込んで実行することにより、上記ハードウェアとプログラム２３Ｐとを協働させて各種機能手段を実現する機能部である。制御部２４で実現される主な機能手段としては、親子管理手段２４Ａと転送制御手段２４Ｂがある。
親子管理手段２４Ａは、電話制御装置１の設定情報１３Ｂから当該無線基地局装置２に接続される無線親機３および無線子機４の対応関係を示す情報を取得して記憶部２３の親子管理情報２３として格納する機能を有している。転送制御手段２４Ｂは、ＬＡＮＩ／Ｆ部２２と無線Ｉ／Ｆ部２１との間でデータを転送する機能と、無線子機４の音声通話に用いる音声データを無線伝送路５Ｃを介して無線子機４との間で直接転送する機能と、無線親機３や無線子機４の制御に用いる制御データを無線伝送路５Ａを介して無線親機との間で転送する機能とを有している。
【００２７】
図５は、電話制御装置と無線基地局装置、無線親機、無線子機との間でやり取りされるパケットデータの構成例である。この例では、当該パケットデータの送信元となる装置の識別情報を示す送信元情報５１、当該パケットデータの宛先となる装置の識別情報を示す宛先情報５２、当該パケットデータの種別、例えば制御データや音声データの区別を示すデータ種別５３、および当該パケットデータで転送すべきデータを示すデータ内容５４などが格納されている。
転送制御手段２４Ｂでは、このパケットデータの宛先情報５２、データ種別５３，さらにはデータ内容５４を参照して、転送すべき無線伝送路５Ａ，５Ｃを決定する。
【００２８】
［無線親機］
次に、図６を参照して、本発明の第１の実施の形態にかかる電話システムで用いられる無線親機について説明する。図６は、本発明の第１の実施の形態にかかる電話システムで用いられる無線親機の構成を示す説明図である。
この無線親機３は、コンピュータで動作する通信端末であり、無線インターフェース部（以下、無線Ｉ／Ｆ部という）３１、音声処理部３２、操作入力部３３、表示部３４、記憶部３５、および制御部３６が設けられている。
【００２９】
無線Ｉ／Ｆ部３１は、無線伝送路５Ａ，５Ｂを終端制御する回路部であり、無線伝送路５Ａを介して無線基地局装置２とデジタルデータ通信を行う機能と、無線伝送路５Ｂを介して無線子機４とデジタルデータ通信を行う機能とを有している。
音声処理部３２は、無線Ｉ／Ｆ部３１を介して受信した音声データから生成した音声信号や予め設定されている各種報知音をスピーカ（図示せず）から出力する機能を有している。
操作入力部３３は、ダイヤルキーや機能キーなどの各種操作キーやフックスイッチからなり、利用者の操作を検出して制御部３６へ出力する機能を有している。
表示部３４は、ＬＥＤやＬＣＤなどの表示器からなり、制御部３６からの指示に応じて各種可視表示を行う機能を有している。
【００３０】
記憶部３５は、メモリなどの記憶装置からなり、制御部３６での各種処理に用いる処理情報やプログラム３５Ｐを格納する機能を有している。プログラム３５Ｐは、製造時に予め記憶部３５へ格納される。
記憶部３５に格納される主な処理情報としては制御情報３５Ａがある。制御情報３５Ａは、制御部３６での当該無線親機３および無線子機４の制御に用いる情報である。
【００３１】
制御部３６は、ＣＰＵなどのマイクロプロセッサとその周辺回路からなり、記憶部３５からプログラム３５Ｐを読み込んで実行することにより、上記ハードウェアとプログラム３５Ｐとを協働させて各種機能手段を実現する機能部である。制御部３６で実現される主な機能手段としては呼制御手段３６Ａと転送制御手段３６Ｂがある。
呼制御手段３６Ａは、無線伝送路５Ａを介して受信した電話制御装置１からの制御データに基づき当該無線親機３および無線子機４を制御する機能を有している。転送制御手段３６Ｂは、無線Ｉ／Ｆ部３１を制御して無線伝送路５Ａと無線伝送路５Ｂとの間でデータを転送する機能を有している。
【００３２】
［無線子機］
次に、図７を参照して、本発明の第１の実施の形態にかかる電話システムで用いられる無線子機について説明する。図７は、本発明の第１の実施の形態にかかる電話システムで用いられる無線子機の構成を示す説明図である。
この無線子機４は、コンピュータで動作する通信端末であり、無線インターフェース部（以下、無線Ｉ／Ｆ部という）４１、音声処理部４２、操作入力部４３、表示部４４、記憶部４５、および制御部４６が設けられている。
【００３３】
無線Ｉ／Ｆ部４１は、無線伝送路５Ｂ，５Ｃを終端制御する回路部であり、無線伝送路５Ｂを介して無線親機３とデジタルデータ通信を行う機能と、無線伝送路５Ｃを介して無線基地局装置２とデジタルデータ通信を行う機能とを有している。
音声処理部４２は、無線Ｉ／Ｆ部４１を介して受信した音声データから生成した音声信号や予め設定されている各種報知音をスピーカ（図示せず）から出力する機能を有している。
操作入力部４３は、ダイヤルキーや機能キーなどの各種操作キーやフックスイッチからなり、利用者の操作を検出して制御部４６へ出力する機能を有している。
表示部４４は、ＬＥＤやＬＣＤなどの表示器からなり、制御部４６からの指示に応じて各種可視表示を行う機能を有している。
【００３４】
記憶部４５は、メモリなどの記憶装置からなり、制御部４６での各種処理に用いる処理情報やプログラム４５Ｐを格納する機能を有している。プログラム４５Ｐは、製造時に予め記憶部４５へ格納される。
記憶部４５に格納される主な処理情報としては制御情報４５Ａがある。制御情報４５Ａは、制御部４６での当該無線子機４の制御に用いる情報である。
【００３５】
制御部４６は、ＣＰＵなどのマイクロプロセッサとその周辺回路からなり、記憶部４５からプログラム４５Ｐを読み込んで実行することにより、上記ハードウェアとプログラム４５Ｐとを協働させて各種機能手段を実現する機能部である。制御部４６で実現される主な機能手段としては呼制御手段４６Ａと無線切替手段４６Ｂとがある。
呼制御手段４６Ａは、無線伝送路５Ｂを介して受信した無線親機３からの制御データに基づき当該無線子機４を制御する機能を有している。無線切替手段４６Ｂは、無線Ｉ／Ｆ部４１の無線伝送路５Ｂ，５Ｃを切替制御して、当該無線子機４での音声通話に用いる音声データについては無線伝送路５Ｃを介して無線基地局装置２と直接転送し、その他の制御データについて無線伝送路５Ｂを介して無線親機３と転送する機能を有している。
【００３６】
［第１の実施の形態の動作］
次に、図８を参照して、本発明の第１の実施の形態にかかる電話システムの着信動作について説明する。図８は、本発明の第１の実施の形態にかかる電話システムの着信動作を示すシーケンス図である。
ここでは、電話回線８を介して検出した着信に応じて無線親機３を呼び出し、その応答に応じて無線子機４での音声通話を実現する場合を例として説明する。なお、無線子機４は無線親機３上に載置されているものとする。
【００３７】
電話制御装置１の制御部１４は、回線Ｉ／Ｆ部１１で検出した電話網９からの着信に応じて（ステップ１００）、呼制御手段１４Ａにより、無線親機３宛の着信コマンドをＬＡＮＩ／Ｆ部１２から送信する（ステップ１０１）。
無線基地局装置２の制御部２４は、電話制御装置１からの着信コマンドをＬＡＮＩ／Ｆ部２２で受信し、転送制御手段２４Ｂにより、当該着信コマンドが制御データであることを確認し、無線Ｉ／Ｆ部２１から無線伝送路５Ａを介して無線親機３へ転送する。
無線親機３の制御部３６は、無線Ｉ／Ｆ部３１を介して着信コマンドを受信し、呼制御手段３６Ａにより、その内容に応じて音声処理部３２および表示部３４を制御して、着信表示を行う（ステップ１０２）。
【００３８】
この着信表示に応じて利用者が無線親機３から無線子機４を取り上げてオフフック操作すなわち応答操作を行った場合（ステップ１１０）、無線親機３の制御部３６は、操作入力部３３での応答操作の検出に応じて、呼制御手段３６Ａにより、無線Ｉ／Ｆ部３１から無線伝送路５Ａを介して電話制御装置１宛の応答コマンドを送信する（ステップ１１１）。
無線基地局装置２の制御部２４は、無線親機３からの応答コマンドを無線Ｉ／Ｆ部２１で受信し、転送制御手段２４Ｂにより、ＬＡＮＩ／Ｆ部２２から電話制御装置１へ応答コマンドを転送する。
【００３９】
電話制御装置１の制御部１４は、ＬＡＮＩ／Ｆ部１２を介して応答コマンドを受信し、呼制御手段１４Ａにより、無線基地局装置２と無線子機４との間で無線伝送路５Ｃ上の音声通話路を確立するためのリンク接続要求コマンドを、ＬＡＮＩ／Ｆ部１２から無線基地局装置２宛に送信する（ステップ１１２）。
これにより、このリンク接続要求コマンドが無線基地局装置２から無線伝送路５Ａを介して無線親機３へ転送され、さらに無線伝送路５Ｂを介して無線子機４へ転送される。
【００４０】
無線子機４の制御部４６は、無線伝送路５Ｂを介して無線Ｉ／Ｆ部４１でリンク接続要求コマンドを受信し、呼制御手段４６Ａにより、その内容に基づき無線Ｉ／Ｆ部４１を制御して、無線伝送路５Ｃを介して無線基地局装置２と音声通話路を接続し（ステップ１１３）、無線基地局装置２宛のリンク接続応答コマンドを無線Ｉ／Ｆ部４１から無線伝送路５Ｂを介して無線親機３へ転送する（ステップ１１４）。
【００４１】
これにより、このリンク接続応答コマンドが無線子機４から無線伝送路５Ｂを介して無線親機３へ転送され、さらに無線伝送路５Ａを介して無線基地局装置２へ転送され、最終的に電話制御装置１へ届けられる。
このようにして、リンク接続要求コマンドおよびリンク接続応答コマンドが順に転送されて、電話制御装置１から無線基地局装置２を経由し、さらに無線伝送路５Ｃを経由して無線子機４までの音声通話路が形成される。
【００４２】
電話制御装置１の制御部１４は、リンク接続応答コマンドの受信に応じて、呼制御手段１４Ａにより、回線Ｉ／Ｆ部１１を制御して、電話回線８の音声通話路と無線子機４までの音声通話路とを接続する（ステップ１１５）。これにより、無線伝送路５Ｃを介して電話回線８と無線子機４との間で音声データが相互に転送され、無線子機４での音声通話が開始される（ステップ１１６）。
【００４３】
その後、無線子機４において利用者により終話操作が行われた場合（ステップ１２０）、無線子機４の制御部４６は、操作入力部４３を介してその終話操作を検出し、呼制御手段４６Ａにより、無線Ｉ／Ｆ部４１から無線伝送路５Ｂを介して無線親機３へ終話操作コマンドが送信される（ステップ１２１）。
【００４４】
無線親機３の制御部３６は、無線Ｉ／Ｆ部３１を介して終話操作コマンドを受信し、呼制御手段３６Ａにより、電話制御装置１宛のオンフックコマンドを無線Ｉ／Ｆ部３１から無線伝送路５Ａを介して送信する（ステップ１２２）。
無線基地局装置２の制御部２４は、無線親機３からのオンフックコマンドを無線Ｉ／Ｆ部２１で受信し、転送制御手段２４Ｂにより、ＬＡＮＩ／Ｆ部２２から電話制御装置１へオンフックコマンドを転送する。
【００４５】
電話制御装置１の制御部１４は、ＬＡＮＩ／Ｆ部１２を介してオンフックコマンドを受信し、呼制御手段１４Ａにより、回線Ｉ／Ｆ部１１から電話回線８へ切断コマンドを送信するとともに（ステップ１２３）、電話回線８の音声通話路と無線子機４までの音声通話路とを切断する（ステップ１２４）。そして、無線子機４までの音声通話路を切断するための切断コマンドを、ＬＡＮＩ／Ｆ部１２から無線基地局装置２宛に送信する（ステップ１２５）。
【００４６】
この切断コマンドは、無線機基地局装置２から無線伝送路５Ａを介して無線親機３へ転送され（ステップ１２６）、最終的に無線伝送路５Ｂを介して無線子機４へ届けられる（ステップ１２７）。
これにより、電話制御装置１から無線基地局装置２を経由し、さらに無線伝送路５Ｃを経由した無線子機４までの音声通話路がそれぞれの区間で切断される。
【００４７】
次に、図９を参照して、本発明の第１の実施の形態にかかる電話システムの発信動作について説明する。図９は、本発明の第１の実施の形態にかかる電話システムの発信動作を示すシーケンス図である。
ここでは、無線親機３での発信操作に応じて電話回線８から発信し、相手応答に応じて無線子機４での音声通話を実現する場合を例として説明する。なお、無線子機４は無線親機３上に載置されているものとする。
【００４８】
無線親機３において利用者により発信操作が行われた場合（ステップ１３０）、無線親機３の制御部３６は、操作入力部３３を介してその発信操作を検出し、呼制御手段３６Ａにより、無線Ｉ／Ｆ部４１から無線伝送路５Ａを介して電話制御装置１宛の発信要求コマンドが送信される（ステップ１３１）。
電話制御装置１の制御部１４は、無線基地局装置２で転送された無線親機３からの発信要求コマンドをＬＡＮＩ／Ｆ部１２で受信し、呼制御手段１４Ａにより、回線Ｉ／Ｆ部１１を制御して、電話回線８から発信コマンドを送信する（ステップ１３２）。
【００４９】
その後、電話制御装置１の制御部１４は、電話網９からの呼出中コマンドを回線Ｉ／Ｆ部１１で受信し（ステップ１３３）、呼制御手段１４Ａにより、無線親機３宛の呼出中コマンドをＬＡＮＩ／Ｆ部１２から無線基地局装置２へ送信する（ステップ１３４）。
無線基地局装置２の制御部２４は、電話制御装置１からの呼出中コマンドをＬＡＮＩ／Ｆ部２２で受信し、転送制御手段２４Ｂにより、当該呼出中コマンドが制御データであることを確認し、無線Ｉ／Ｆ部２１から無線伝送路５Ａを介して無線親機３へ転送する。
無線親機３の制御部３６は、無線Ｉ／Ｆ部３１を介して呼出中コマンドを受信し、呼制御手段３６Ａにより、その内容に応じて音声処理部３２を制御して、呼出音を出力する（ステップ１３５）。
【００５０】
これに応じて、利用者が無線子機４を無線親機３から取り上げてオフフック操作を行った場合（ステップ１４０）、無線親機３の制御部３６は、操作入力部３３でのオフフック操作の検出に応じて、呼制御手段３６Ａにより、無線Ｉ／Ｆ部３１から無線伝送路５Ａを介して電話制御装置１宛のオフフック操作コマンドを送信し（ステップ１４１）、音声処理部３２を制御して呼出音の送出を停止する（ステップ１４２）。
【００５１】
電話制御装置１の制御部１４は、無線基地局装置２で転送された無線親機３からのオフフック操作コマンドをＬＡＮＩ／Ｆ部１２で受信し、呼制御手段１４Ａにより、このオフフック操作コマンドに応じて無線親機３でのスピーカ受話状態から無線子機４での通話状態へ切り替えるため、無線基地局装置２と無線子機４との間で無線伝送路５Ｃ上の音声通話路を確立するためのリンク接続要求コマンドを、ＬＡＮＩ／Ｆ部１２から無線基地局装置２宛に送信する（ステップ１４３）。
【００５２】
このリンク接続要求コマンドは、前述した図８のステップ１１２〜１１４と同様にして、無線基地局装置２から無線伝送路５Ａを介して無線親機３へ転送され、さらに無線伝送路５Ｂを介して無線子機４へ転送される。
これに応じて、無線子機４の制御部４６は、呼制御手段４６Ａにより、その内容に基づき無線Ｉ／Ｆ部４１を制御して、無線伝送路５Ｃを介して無線基地局装置２と音声通話路を接続する（ステップ１４４）。
【００５３】
また、これに応じたリンク接続応答コマンドが無線子機４から無線伝送路５Ｂを介して無線親機３へ転送され（ステップ１４５）、さらに無線伝送路５Ａを介して無線基地局装置２へ転送され、最終的に電話制御装置１へ届けられる。
このようにして、リンク接続要求コマンドおよびリンク接続応答コマンドが順に転送されて、電話制御装置１から無線基地局装置２を経由し、さらに無線伝送路５Ｃを経由して無線子機４までの音声通話路が形成される。
【００５４】
電話制御装置１の制御部１４は、無線子機４までの音声通話路が形成された後、呼制御手段１４Ａにより、無線親機３宛の呼出中コマンドをＬＡＮＩ／Ｆ部１２から無線基地局装置２へ送信する（ステップ１４６）。
この呼出中コマンドは、制御コマンドであることから無線基地局装置２から無線伝送路５Ａ、無線親機３、および無線伝送路５Ｂを介して無線子機４へ届けられる。これに応じて、無線子機４の制御部４６は、呼制御手段４６Ａにより、音声処理部４２を制御して呼出音を出力する（ステップ１４７）。
【００５５】
その後、電話制御装置１の制御部１４は、回線Ｉ／Ｆ部１１で検出した電話網９からの応答に応じて（ステップ１５０）、呼制御手段１４Ａにより、回線Ｉ／Ｆ部１１を制御して電話回線８の音声通話路と無線子機４までの音声通話路とを接続する（ステップ１５１）。これにより、無線伝送路５Ｃを介して電話回線８と無線子機４との間で音声データが相互に転送され、無線子機４での音声通話が開始される（ステップ１５２）。
【００５６】
このように、本実施の形態では、無線基地局装置２により、電話制御装置１と無線親機３との間でやり取りされる各種データのうち、少なくとも無線子機４での音声通話に用いる音声データについては、無線伝送路（第３の無線伝送路）５Ｃを介して無線子機４との間で直接転送するようにしたので、電話網９からの電話回線８を用いた音声通話を無線子機で行う場合、無線子機４から電話制御装置１まで１つの無線伝送路５Ｃを介して音声データをやり取りすることができる。
【００５７】
したがって、無線子機４により、２つの無線伝送路５Ａ，５Ｂを介して音声通話を行う場合と比較して、無線伝送路が無線伝送路５Ｃの１つになり通話品質の劣化を抑制できる。また、無線親機３に比較して、無線基地局装置２のほうが無線電波強度が高く、その通信エリアも広い場合、室内の壁や柱などの障害物の影響も小さくなり、さらなる通話品質の向上が期待できる。
【００５８】
［第２の実施の形態］
次に、図１０および図１１を参照して、本発明の第２の実施の形態にかかる電話システムについて説明する。図１０は、本発明の第２の実施の形態にかかる電話システムの着信動作を示すシーケンス図である。図１１は、本発明の第２の実施の形態にかかる電話システムの発信動作を示すシーケンス図である。
【００５９】
前述した第１の実施の形態では、無線基地局装置２により、電話制御装置１と無線親機３との間でやり取りされる各種データのうち、無線子機４での音声通話に用いる音声データについて、無線伝送路（第３の無線伝送路）５Ｃを介して無線子機４との間で直接転送する場合について説明した。
本実施の形態では、無線基地局装置２により、無線親機３との間でやり取りされる各種データのうち、無線子機４での音声通話に用いる音声データに加え、その音声通話に用いる無線伝送路（第３の無線伝送路）５Ｃ上における音声通話路の制御に用いる制御データについても、無線伝送路５Ｃを介して無線子機４との間で直接転送する場合について説明する。
【００６０】
この場合、無線基地局装置２の転送制御手段２４Ｂが、無線子機４の音声通話に用いる音声データを無線伝送路５Ｃを介して無線子機４との間で直接転送する機能に加えて、その音声通話に用いる無線伝送路５Ｃ上における音声通話路の制御に用いる制御データを無線伝送路５Ｃを介して無線子機４との間で直接転送する機能を有している。なお、この他の構成については、前述した第１の実施の形態にかかる電話システムと同等であり、ここでの詳細な説明は省略する。
【００６１】
［第２の実施の形態の動作］
次に、図１０を参照して、本発明の第２の実施の形態にかかる電話システムの着信動作について説明する。ここでは、電話回線８を介して検出した着信に応じて無線親機３を呼び出し、その応答に応じて無線子機４での音声通話を実現する場合を例として説明する。なお、無線子機４は無線親機３上に載置されているものとする。
【００６２】
本実施の形態にかかる電話システムの発信動作は、図１０に示す通りであり、前述した図８と比較して、ステップ１１２〜１１４におけるリンク接続要求コマンドおよびリンク接続応答コマンドの転送経路や、ステップ１２５〜１２７におけるリンク切断コマンドの転送経路が異なる。なお、その他のステップについては、前述した図８の各ステップと同様であり、ここでの詳細な説明は省略する。
【００６３】
まず、ステップ１１２において、電話制御装置１の制御部１４は、ＬＡＮＩ／Ｆ部１２を介して応答コマンドを受信し、呼制御手段１４Ａにより、無線基地局装置２と無線子機４との間で無線伝送路５Ｃ上の音声通話路を確立するためのリンク接続要求コマンドを、ＬＡＮＩ／Ｆ部１２から無線基地局装置２宛に送信する（ステップ１１２）。
【００６４】
無線基地局装置２の制御部２４は、電話制御装置１からのリンク接続要求コマンドをＬＡＮＩ／Ｆ部２２で受信し、転送制御手段２４Ｂにより、当該リンク接続要求コマンドがそ無線親機３を経由させず、無線Ｉ／Ｆ部２１から無線伝送路５Ｃを介して無線子機４へ直接転送する。これにより、このリンク接続要求コマンドが無線基地局装置２から無線伝送路５Ａを介して無線親機３へ転送され、さらに無線伝送路５Ｂを介して無線子機４へ転送される。
【００６５】
無線子機４の制御部４６は、無線伝送路５Ｂを介して無線Ｉ／Ｆ部４１でリンク接続要求コマンドを受信し、呼制御手段４６Ａにより、その内容に基づき無線Ｉ／Ｆ部４１を制御して、無線伝送路５Ｃを介して無線基地局装置２と音声通話路を接続し（ステップ１１３）、無線切替手段４６Ｂにより、無線基地局装置２宛のリンク接続応答コマンドが無線伝送路５Ｃ上の音声通話路の制御に用いる制御データであることを確認し、無線Ｉ／Ｆ部４１から無線伝送路５Ａを介して無線親機３へ転送する（ステップ１１４）。
これにより、このリンク接続応答コマンドが無線子機４から無線伝送路５Ｃを介して無線基地局装置２へ転送され、最終的に電話制御装置１へ届けられる。
【００６６】
また、ステップ１２５〜１２７において、電話制御装置１の制御部１４は、呼制御手段１４Ａにより、無線子機４までの音声通話路を切断するための切断コマンドを、ＬＡＮＩ／Ｆ部１２から無線基地局装置２宛に送信する（ステップ１２５）。
無線基地局装置２の制御部２４は、電話制御装置１からの切断コマンドをＬＡＮＩ／Ｆ部２２で受信し、転送制御手段２４Ｂにより、この切断コマンドを無線Ｉ／Ｆ部２１から無線伝送路５Ａを介して無線親機３へ転送するとともに（ステップ１２６）、当該切断コマンドが無線伝送路５Ｃ上の音声通話路の制御に用いる制御データであることを確認し、無線親機３を経由させず、無線Ｉ／Ｆ部２１から無線伝送路５Ｃを介して無線子機４へ直接転送する（ステップ１２７）。
【００６７】
次に、図１１を参照して、本発明の第２の実施の形態にかかる電話システムの発信動作について説明する。図１１は、本発明の第２の実施の形態にかかる電話システムの発信動作を示すシーケンス図である。ここでは、無線親機３での発信操作に応じて電話回線８から発信し、相手応答に応じて無線子機４での音声通話を実現する場合を例として説明する。なお、無線子機４は無線親機３上に載置されているものとする。
【００６８】
本実施の形態にかかる電話システムの発信動作は、図１１に示す通りであり、前述した図９と比較して、ステップ１４３〜１４５におけるリンク接続コマンドの転送経路が異なる。なお、その他のステップについては、前述した図９の各ステップと同様であり、ここでの詳細な説明は省略する。
【００６９】
まず、ステップ１４３において、電話制御装置１の制御部１４は、呼制御手段１４Ａにより、無線基地局装置２と無線子機４との間で無線伝送路５Ｃ上の音声通話路を確立するためのリンク接続要求コマンドを、ＬＡＮＩ／Ｆ部１２から無線基地局装置２宛に送信する（ステップ１４３）。
【００７０】
このリンク接続要求コマンドは、前述した図９のステップ１１２〜１１４と同様にして、無線基地局装置２から無線伝送路５Ｃを介して無線子機４へ直接転送される。これに応じて、無線子機４の制御部４６は、呼制御手段４６Ａにより、その内容に基づき無線Ｉ／Ｆ部４１を制御して、無線伝送路５Ｃを介して無線基地局装置２と音声通話路を接続する（ステップ１４４）。
【００７１】
また、これに応じたリンク接続応答コマンドが無線子機４から無線伝送路５Ｃを介して無線基地局装置２へ直接転送され（ステップ１４５）、最終的に電話制御装置１へ届けられる。
このようにして、リンク接続要求コマンドおよびリンク接続応答コマンドが順に転送されて、電話制御装置１から無線基地局装置２を経由し、さらに無線伝送路５Ｃを経由して無線子機４までの音声通話路が形成される。
【００７２】
このように、本実施の形態では、無線親機３との間でやり取りされる各種データのうち、無線子機４での音声通話に用いる音声データに加え、その音声通話に用いる無線伝送路５Ｃ上における音声通話路の制御に用いる制御データについても、無線伝送路５Ｃを介して無線子機４との間で直接転送するようにしたので、電話網９からの電話回線８を用いた音声通話を無線子機で行う場合、無線子機４から電話制御装置１まで１つの無線伝送路５Ｃを介して音声データとその音声通話路の制御に関する制御データをやり取りすることができる。
【００７３】
したがって、無線子機４により、２つの無線伝送路５Ａ，５Ｂを介して音声通話を行う場合と比較して、無線伝送路が無線伝送路５Ｃの１つになり通話品質の劣化を抑制できるとともに、各無線伝送路５Ａ，５Ｂでの無線通信方式に起因する処理動作の遅れを改善でき、良好な操作性が得られる。また、無線親機３に比較して、無線基地局装置２のほうが無線電波強度が高く、その通信エリアも広い場合、室内の壁や柱などの障害物の影響も小さくなり、電波伝搬環境の向上による通信レスポンスの改善が期待できる。
【００７４】
［実施の形態の拡張］
以上の各実施の形態では、発明の内容を分かり易く説明するため、１つの無線基地局装置２に１組の無線親機３と無線子機４とが接続される場合を例として説明した。実際には多くの場合、１つの無線基地局装置２に複数組の無線親機３と無線子機４が接続される構成となるが、このような場合も本発明の各実施の形態を適用でき、同様の作用効果が得られる。
【００７５】
また、各実施の形態では、無線基地局装置２のＩ／Ｆ部２１で無線親機３および無線子機４と無線通信を行う必要があり、無線子機４の無線Ｉ／Ｆ部４１で無線基地局装置２および無線親機３と無線通信を行う必要がある。
この際、これら無線通信に用いる無線伝送路５Ａ，５Ｂ，５Ｃにおいて、例えばＰＨＳ方式、無線ＬＡＮ方式、Bluetooth方式などの無線通信方式に統一して用いれば、それぞれ無線Ｉ／Ｆ部を共用でき、通信システム全体の構成を簡略化できる。なお、無線伝送路ごとに異なる無線通信方式を用いる必要があれば、それぞれに応じた無線Ｉ／Ｆ部を設ければよい。
【図面の簡単な説明】
【００７６】
【図１】本発明の第１の実施の形態にかかる電話システムの構成を示すブロック図である。
【図２】本発明の第１の実施の形態にかかる電話システムで用いられる電話制御装置の構成を示す説明図である。
【図３】本発明の第１の実施の形態にかかる電話システムで用いられる無線基地局装置の構成を示すブロック図である。
【図４】親子管理情報の構成例である。
【図５】パケットデータの構成例である。
【図６】本発明の第１の実施の形態にかかる電話システムで用いられる無線親機の構成を示す説明図である。
【図７】本発明の第１の実施の形態にかかる電話システムで用いられる無線子機の構成を示す説明図である。
【図８】本発明の第１の実施の形態にかかる電話システムの着信動作を示すシーケンス図である。
【図９】本発明の第１の実施の形態にかかる電話システムの発信動作を示すシーケンス図である。
【図１０】本発明の第２の実施の形態にかかる電話システムの着信動作を示すシーケンス図である。
【図１１】本発明の第２の実施の形態にかかる電話システムの発信動作を示すシーケンス図である。
【符号の説明】
【００７７】
１…電話制御装置、１１…回線Ｉ／Ｆ部、１２…ＬＡＮＩ／Ｆ部、１３…記憶部、１３Ａ…呼制御情報、１３Ｂ…設定情報、１３Ｐ…プログラム、１４…制御部、１４Ａ…呼制御手段、１４Ｂ…設定管理手段、２…無線基地局装置、２１…無線Ｉ／Ｆ部、２２…ＬＡＮＩ／Ｆ部、２３…記憶部、２３Ａ…親子管理情報、２３Ｂ…プログラム、２４…制御部、２４Ａ…親子管理手段、２４Ｂ…転送制御手段、３…無線親機、３１…無線Ｉ／Ｆ部、３２…音声処理部、３３…操作入力部、３４…表示部、３５…記憶部、３５Ａ…制御情報、３５Ｐ…プログラム、３６…制御部、３６Ａ…呼制御手段、３６Ｂ…転送制御手段、４…無線子機、４１…無線Ｉ／Ｆ部、４２…音声処理部、４３…操作入力部、４４…表示部、４５…記憶部、４５Ａ…制御情報、４５Ｐ…プログラム、４６…制御部、４６Ａ…呼制御手段、４６Ｂ…無線切替手段、５Ａ，５Ｂ，５Ｃ…無線伝送路、６…内線伝送路、７…設定端末、８…電話回線、９…電話網。
【図１】
2006279688.tif 000003
【図２】
2006279688.tif 000004
【図３】
2006279688.tif 000005
【図４】
2006279688.tif 000006
【図５】
2006279688.tif 000007
【図６】
2006279688.tif 000008
【図７】
2006279688.tif 000009
【図８】
2006279688.tif 000010
【図９】
2006279688.tif 000011
【図１０】
2006279688.tif 000012
【図１１】
2006279688.tif 000013